(57)【要約】【課題】  動画やスルー画像に施すバックライト輝度補正などによって、静止画像やメニュー画像の表示が変化することを防ぐことを目的とする。【解決手段】  輝度調整を行うことが可能な表示部と、複数の画像を一定間隔で前記表示部に連続的に表示する動的表示の際に、前記複数の画像のそれぞれの画像に対する輝度補正を行う画像補正部と、前記画像補正部における輝度補正に基づいて、該輝度補正が実行された画像を表示する際に前記表示部における輝度調整を実行する輝度調整部と、前記動的表示から、該複数の画像とは異なる画像を表示する静的表示に切り替える際に、前記輝度調整部における制御を、前記一定間隔よりも短い期間で実行させる表示制御部とを備える画像表示装置。【選択図】      図１
2010288204.tif 000002
【特許請求の範囲】
【請求項１】
輝度調整を行うことが可能な表示部と、
複数の画像を一定間隔で前記表示部に連続的に表示する動的表示の際に、前記複数の画像のそれぞれの画像に対する輝度補正を行う画像補正部と、
前記画像補正部における輝度補正に基づいて、該輝度補正が実行された画像を表示する際に前記表示部における輝度調整を実行する輝度調整部と、
前記動的表示から、該複数の画像とは異なる画像を表示する静的表示に切り替える際に、前記輝度調整部における制御を、前記一定間隔よりも短い期間で実行させる表示制御部と
を備えることを特徴とする画像表示装置。
【請求項２】
請求項１に記載の画像表示装置において、
前記表示制御部は、前記動的表示から、前記静的表示に切り替える際に、前記表示部に暗黒画像を表示させる
ことを特徴とする画像表示装置。
【請求項３】
請求項２に記載の画像表示装置において、
前記暗黒画像を前記表示部に表示させる表示期間中に、前記輝度調整部により前記表示部の光量を所定値まで下げる期間を設ける
ことを特徴とする画像表示装置。
【請求項４】
請求項１から請求項３のいずれか１項に記載の画像表示装置と、
前記複数の画像を一定間隔で連続的に取得することが可能な撮像素子と
を備えることを特徴とする撮像装置。
【請求項５】
請求項４に記載の撮像装置において、
前記動的表示は、レリーズ操作前後に前記撮像素子により取得されるスルー画像、又は前記レリーズ操作に基づいて前記撮像素子により取得された動画像の表示からなる
ことを特徴とする撮像装置。
【請求項６】
請求項４又は請求項５に記載の撮像装置において、
前記静的表示は、レリーズ操作により取得される静止画像、又は設定時に用いられる設定用画像の表示からなる
ことを特徴とする撮像装置。
【請求項７】
請求項６に記載の撮像装置において、
前記静止画像は、撮像状態の確認用画像を含む
ことを特徴とする撮像装置。
【発明の詳細な説明】
【技術分野】
【０００１】
本発明は、画像を表示する画像表示装置、及び画像を取得する撮像装置に関する。
【背景技術】
【０００２】
従来から、撮像装置における画像表示ディスプレイの消費電力低減手段として、入力される画像信号に対して、バックライトの輝度を低減させて省電力化を実現している撮像装置が提供されている（例えば、特許文献１など）。
【先行技術文献】
【特許文献】
【０００３】
【特許文献１】特開２００６−３０８６３２号公報
【発明の概要】
【発明が解決しようとする課題】
【０００４】
ところが、上述した撮像装置では、動画再生やスルー画像表示から、静止画像表示やメニュー画像表示に移行するときに、バックライト輝度補正の変化スピードが遅く、意図しない表示画面の変化が発生する場合がある。このような表示画面の変化は、操作性の低下やユーザが困惑する原因となる。
【０００５】
そこで、本発明の画像表示装置及び撮像装置は、動画やスルー画像に施すバックライト輝度補正などによって、静止画像やメニュー画像の表示が変化することを防ぐことを目的とする。
【課題を解決するための手段】
【０００６】
本発明の画像表示装置は、輝度調整を行うことが可能な表示部と、複数の画像を一定間隔で前記表示部に連続的に表示する動的表示の際に、前記複数の画像のそれぞれの画像に対する輝度補正を行う画像補正部と、前記画像補正部における輝度補正に基づいて、該輝度補正が実行された画像を表示する際に前記表示部における輝度調整を実行する輝度調整部と、前記動的表示から、該複数の画像とは異なる画像を表示する静的表示に切り替える際に、前記輝度調整部における制御を、前記一定間隔よりも短い期間で実行させる表示制御部とを備える。
【０００７】
なお、前記表示制御部は、前記動的表示から、前記静的表示に切り替える際に、前記表示部に暗黒画像を表示させても良い。
【０００８】
また、前記暗黒画像を前記表示部に表示させる表示期間中に、前記輝度調整部により前記表示部の光量を所定値まで下げる期間を設けても良い。
【０００９】
本発明の撮像装置は、請求項１から請求項３のいずれか１項に記載の画像表示装置と前記複数の画像を一定間隔で連続的に取得することが可能な撮像素子とを備える。
【００１０】
なお、前記動的表示は、レリーズ操作前後に前記撮像素子により取得されるスルー画像、又は前記レリーズ操作に基づいて前記撮像素子により取得された動画像の表示からなっても良い。
【００１１】
また、前記静的表示は、レリーズ操作により取得される静止画像、又は設定時に用いられる設定用画像の表示からなっても良い。
【００１２】
また、前記静止画像は、撮像状態の確認用画像を含んでも良い。
【発明の効果】
【００１３】
本発明の画像表示装置及び撮像装置によれば、動画やスルー画像に施すバックライト輝度補正などによって、静止画像やメニュー画像の表示が変化することを防ぐことができる。
【図面の簡単な説明】
【００１４】
【図１】本発明の実施形態における撮像装置１の構成を示すブロック図である。
【図２】スルー画像表示からメニュー画像表示又は静止画像再生への切り替え時の動作を示すフローチャートである。
【図３】図２のフローチャートにおける各部の動作を示すタイミングチャートである。
【図４】撮像時の動作を示すフローチャートである。
【図５】図４のフローチャートにおける各部の動作を示すタイミングチャートである。
【図６】本発明の実施形態における撮像装置３００の構成を示すブロック図である。
【発明を実施するための形態】
【００１５】
以下、図面を用いて本発明の実施形態について説明する。図１は、本発明の実施形態における撮像装置１の構成を示すブロック図である。
【００１６】
図１に示すように、撮像装置１は、撮像レンズ２、撮像素子３、アナログフロントエンド／タイミングジェネレータ（ＡＦＥ／ＴＧ）４、バッファメモリ５、画像処理部６、ＣＰＵ７、メモリ８、操作部９、表示部１０、表示制御部１１、電源部１２、記録Ｉ／Ｆ部１３、記録媒体１４を備える。
【００１７】
撮像レンズ２は、撮像素子３の撮像面に被写体像を結像する。なお、撮像レンズ２は、ズームレンズやフォーカスレンズ等の複数のレンズから構成されていても良い。撮像素子３は、撮像レンズ２を通過した被写体光を光電変換し、Ｒ、Ｇ、Ｂの各色に対応するアナログ画像信号を出力する。撮像素子３は、撮像待機時、所定間隔ごとに間引き読み出しを行い、スルー画像を取得する。その後、撮像素子３は、後述するレリーズ釦１９が全押しされると静止画像を取得する。
【００１８】
ＡＦＥ／ＴＧ４は、撮像素子３に出力パルスを供給する。撮像素子３から出力される画像信号は、ＡＦＥ／ＴＧ４に入力される。ＡＦＥ／ＴＧ４は、撮像素子３から出力されるアナログの画像信号をＡ／Ｄ変換し、デジタルの画像信号に変更する。なお、このデジタルの画像信号は、１コマにまとめられ、画像データとしてバッファメモリ５に記録される。バッファメモリ５は、画像処理部６による画像処理の前工程や後工程で画像データを一時的に記録する。
【００１９】
画像処理部６は、バッファメモリ５に記録された画像データに対して画像処理を施す。なお、この画像処理としては、周知のホワイトバランス調整、ガンマ補正、色補間、階調変換処理、輪郭強調処理等が挙げられる。また、画像処理部６は、ＪＰＥＧ（Joint Photographic Experts Group）形式等で圧縮する処理や、圧縮された上記のデータを伸長復元する処理をも実行する。ＣＰＵ７は、所定のシーケンスプログラムにしたがって、撮像装置１の統括的な制御を行うとともに、撮像時に必要となる各種演算（ＡＦ、ＡＥ等）を実行する。メモリ８は、ファームウェア、暗黒画像などを記録している。
【００２０】
操作部９は、レリーズ釦１９、メニュー釦２０、撮像釦２１、再生釦２２、十字キー２３等を有する。撮像装置１は、静止画像又は動画像を取得する撮像モードと、記録媒体１４に記録された静止画像又は動画像を再生する再生モードと、撮像装置１の各種設定を行う設定モードとを備える。レリーズ釦１９は、撮像時に操作される。メニュー釦２０は、設定モードへ移行する時に操作される。撮像釦２１は、撮像モードへ移行する時に操作される。再生釦２２は、再生モードへ移行する時に操作される。十字キー２３は、上記の設定モードで表示されるメニュー画像等で操作される。なお、レリーズ釦１９、メニュー釦２０、撮像釦２１、再生釦２２及び十字キー２３の状態はＣＰＵ７により検知され、検知された釦やキーの状態に基づいたシーケンスが実行される。
【００２１】
表示部１０は、液晶パネル１５、バックライト部１６を備える。液晶パネル１５は、後述する表示制御部１１の制御により各種の画像を表示する。液晶パネル１５に表示される各種の画像は、スルー画像、静止画像、動画像、メニュー画像等が挙げられる。また、液晶パネル１５は、静止画像取得後に、撮像状態を確認するためのフリーズ画像を表示する。例えば、液晶パネル１５としては、ＬＣＤ（Liquid Crystal Display）、ＴＦＴ（Thin Film Transistor）などが挙げられる。バックライト部１６は、液晶パネル１５を照明する照明光を発する。
【００２２】
表示制御部１１は、画像補正部１７、輝度調整部１８を備える。画像補正部１７は、液晶パネル１５に表示する画像に対して、ガンマ特性曲線の傾きを大きくする補正を施す。例えば、画像補正部１７は、表示対象となる画像の１フレーム前の画像における白色領域の割合を算出する。白色領域の割合を算出する方法は、例えば次の通り行われる。画像補正部１７は、画像を複数の小領域に分割し、各小領域のＲ、Ｇ、Ｂの各色成分をそれぞれ求める。小領域のＲ、Ｇ、Ｂの各色成分は、小領域に属する各画素のＲ、Ｇ、Ｂの各色成分の平均値である。そして、画像補正部１７は、各小領域のＲ、Ｇ、Ｂの各色成分の割合をそれぞれ求める。Ｒ、Ｇ、Ｂの各色成分の割合は、Ｒ／（Ｒ＋Ｇ＋Ｂ）、Ｇ／（Ｒ＋Ｇ＋Ｂ）、Ｂ／（Ｒ＋Ｇ＋Ｂ）を算出することにより得られる。例えば、画像補正部１７は、Ｒ、Ｇ、Ｂの各色成分の割合が全て３０％を超えていればその小領域を無彩色と判定する。さらに、画像補正部１７は、無彩色と判定した各小領域のＲ、Ｇ、Ｂの各色成分の平均値を閾値と比較し、閾値を超過した小領域を白色領域とみなす。さらに、画像補正部１７は、白色領域とみなした小領域数を小領域の総数で除し、画像上での白色領域の割合を算出する。
【００２３】
画像補正部１７は、白色領域の割合が高いほど、表示対象となる画像に対して、ガンマ特性曲線の傾きを示すガンマ値を上げる補正を施す。なお、画像補正部１７は、白色領域の割合が低い画像に対しても、ガンマ値を上げる補正を施す。そして、画像補正部１７は、ガンマ値が補正されたＲＧＢ画像信号を用いて液晶パネル１５に画像を表示する。
【００２４】
輝度調整部１８は、バックライト部１６の輝度を調整する。例えば、輝度調整部１８は、画像補正部１７で用いたガンマ値に合わせて、バックライト部１６の発光量を減少させることにより、バックライト部１６の輝度を下げる。以下、上記の画像補正部１７及び輝度調整部１８の処理を補正処理と称する。なお、表示制御部１１は、補正処理前後の画像の見た目が同じになるように、補正処理を行う。
【００２５】
表示制御部１１は、ＣＰＵ７により送信された補正処理の実行コマンドにより、補正処理を実行する。例えば、表示制御部１１は、スルー画像を表示する時や、動画像を再生する時に補正処理を実行する。また、表示制御部１１は、ＣＰＵ７により送信された補正処理の停止コマンドにより、補正処理を停止する。例えば、表示制御部１１は、メニュー画像を表示する時や、静止画像を再生する時は補正処理を停止する。そのため、メニュー画像を表示する時や、静止画像を再生する時のバックライト部１６の輝度は一定である。なお、静止画像やメニュー画像の輝度は、十字キー２３を介したユーザの指定により設定可能である。また、表示制御部１１は、ＣＰＵ７により送信されたスピードアップコマンドにより、１Ｖｓｙｎｃ（Vertical synchronizing signal）期間よりも短い期間で、補正処理を実行する。そして、表示制御部１１は、ＣＰＵ７により送信されたスピードダウンコマンドにより、補正処理のスピードを元に戻す。なお、Ｖｓｙｎｃは液晶パネル１５に画像を表示する際の垂直同期信号のタイミングであり、１Ｖｓｙｎｃ期間は、約１６ｍｓである。以下、１Ｖｓｙｎｃ（Vertical synchronizing signal）期間よりも短い期間を急峻と称する。
【００２６】
電源部１２は、撮像装置１の各部に給電する。また、表示制御部１１は、バックライト部１６の発光量を変更する。記録Ｉ／Ｆ部１３は、記録媒体１４を接続するためのコネクタを備えている。この記録Ｉ／Ｆ部１３と記録媒体１４とが接続されることにより、記録媒体１４に対してデータの書き込み／読み出しを実行する。
【００２７】
図２は、スルー画像表示からメニュー画像表示又は静止画像再生への切り替え時の動作を示すフローチャートである。
【００２８】
ステップＳ１０１は、電源釦が押されたことを検知する処理である。ＣＰＵ７は、電源がＯＦＦ状態で不図示の電源釦が押されたことを検知すると、撮像モードを開始し、補正処理の実行コマンドを表示制御部１１に送信する。
【００２９】
ステップＳ１０２は、スルー画像を表示する処理である。画像補正部１７は、スルー画像にガンマ補正を施し、ガンマ補正後のスルー画像を液晶パネル１５に表示する。輝度調整部１８は、画像補正部１７で用いたガンマ値に合わせて、バックライト部１６の発光量を減少させる。上述したように、画像補正部１７は、白色領域の割合に基づいてガンマ補正を行う。そのため、測光センサの出力信号などを用いることなく、容易にガンマ補正を行うことができる。また、バックライト部１６の発光量を減少させることにより、電源部１２の消費電力を抑えることができる。
【００３０】
ステップＳ１０３は、メニュー釦２０が押されたか否かを判定する処理である。メニュー釦２０が押された場合（ステップＳ１０３の判定がＹＥＳとなる場合）には、設定モードへ切り替え、ステップＳ１０４に進む。一方、メニュー釦２０が押されていない場合（ステップＳ１０３の判定がＮＯとなる場合）には、後述するステップＳ１０７に進む。
【００３１】
ステップＳ１０４は、暗黒画像を表示する処理である。表示制御部１１は、スルー画像の表示を終了し、暗黒画像を液晶パネル１５に表示する。 
【００３２】
ステップＳ１０５は、スピードアップコマンド、及び補正処理の停止コマンドを送信する処理である。ＣＰＵ７は、スピードアップコマンド、及び補正処理の停止コマンドを表示制御部１１に送信する。輝度調整部１８は、スピードアップコマンドを受信すると、バックライト部１６の輝度を急峻に０まで下げる。補正処理の停止コマンドにより、画像補正部１７及び輝度調整部１８の処理が停止される。
【００３３】
ステップＳ１０６は、メニュー画像を表示する処理である。表示制御部１１は、暗黒画像の表示を終了し、メニュー画像を液晶パネル１５に表示する。
【００３４】
ステップＳ１０７は、再生釦２２が押されたか否かを判定する処理である。再生釦２２が押された場合（ステップＳ１０７の判定がＹＥＳとなる場合）には、再生モードへ切り替え、ステップＳ１０８に進む。以下、静止画像を再生する例を説明する。一方、再生釦２２が押されていない場合（ステップＳ１０７の判定がＮＯとなる場合）には、ステップＳ１０３に戻り、メニュー釦２０が押されたか否かを判定する。
【００３５】
ステップＳ１０８〜ステップＳ１０９は、ステップＳ１０４〜ステップＳ１０５と同様の処理である。
【００３６】
ステップＳ１１０は、静止画像を再生する処理である。表示制御部１１は、暗黒画像の表示を終了する。そして、表示制御部１１は、ＣＰＵ７により記録媒体１４から読み出された静止画像を液晶パネル１５に再生する。なお、このときＣＰＵ７に読み出される静止画像は、記録媒体１４に記録された静止画像のうち、撮像年月日及び時刻が最も新しい静止画像である。
【００３７】
ステップＳ１１１は、撮像釦２１が押されたか否かを判定する処理である。撮像釦２１が押された場合（ステップＳ１１１の判定がＹＥＳとなる場合）には、撮像モードへ切り替え、ステップＳ１１２に進む。一方、撮像釦２１が押されていない場合（ステップＳ１１１の判定がＮＯとなる場合）には、撮像釦２１が押されるまで待機する。
【００３８】
ステップＳ１１２は、補正処理の実行コマンドを送信する処理である。ＣＰＵ７は、表示制御部１１に補正処理の実行コマンドを送信する。
【００３９】
ステップＳ１１３は、スルー画像を表示する処理である。表示制御部１１は、スルー画像表示後のＶｓｙｎｃを送るタイミングで補正処理を実行する。スルー画像表示中に補正処理を開始しても、ユーザがバックライト部１６の輝度の変化を認識できないためである。
【００４０】
ステップＳ１１４は、電源釦が押されたか否かを判定する処理である。電源釦が押された場合（ステップＳ１１４の判定がＹＥＳとなる場合）には、図２の処理を終了する。電源釦が押されていない場合（ステップＳ１１４の判定がＮＯとなる場合）には、ステップＳ１０２に戻る。
【００４１】
図３は、図２における各部の動作を示すタイミングチャートである。また、バックライト部１６の輝度の例を実線で示す。画像補正部１７によりガンマ補正を施されたスルー画像は、１Ｖｓｙｎｃの間隔で液晶パネル１５に表示される。このとき、ｔ１のタイミングで、メニュー釦２０又は再生釦２２が押されると、次のＶｓｙｎｃが出力されるタイミング（ｔ２）で、スルー画像の表示は終了され、暗黒画像が表示される。さらに次のＶｓｙｎｃが出力されるタイミング（ｔ３）でスピードアップコマンド及び補正停止コマンドが送信され、バックライト部１６の輝度が急峻に０まで下げられる。そして、１Ｖｓｙｎｃ期間待ち、ｔ４のタイミングで表示制御部１１の補正機能が停止される。これに伴い、バックライト部１６の輝度は、予め設定された所定の値に急峻に変更される。次のＶｓｙｎｃが出力されるタイミング（ｔ５）で暗黒画像の表示は終了され、メニュー画像が表示されるか又は静止画像が再生される。
【００４２】
従来の撮像装置における、急峻に輝度を調整しない場合の輝度の例を図３の点線で示す。この場合、バックライト部１６の輝度は、ｔ５以降、徐々に上がるため、意図しない表示画像の変化が発生し、メニュー画像や静止画像の見映えが悪くなる。しかし、本発明の撮像装置１では、急峻に輝度を調整するため、暗黒画像の表示期間が３Ｖｓｙｎｃと短時間になる。したがって、ユーザにストレスを与えない切り替えを実施できる。また、ｔ４以降、バックライト部１６の輝度は一定となるため、メニュー画像又は静止画像の見映えが悪くなるおそれがない。
【００４３】
次に、スルー画像の表示状態から、フリーズ画像を表示し、スルー画像の表示に復帰する例を示す。図４は、撮像時の動作を示すフローチャートである
ステップＳ２０１は、スルー画像を表示する処理である。表示制御部１１は、ステップＳ１０２と同様の処理を行う。
【００４４】
ステップＳ２０２は、レリーズ釦１９が全押しされたか否かを判定する処理である。レリーズ釦１９が全押しされた場合（ステップＳ２０２の判定がＹＥＳとなる場合）には、ステップＳ２０３に進む。一方、レリーズ釦１９が全押しされていない場合（ステップＳ２０２の判定がＮＯとなる場合）には、レリーズ釦１９が全押しされるまで待機する。
【００４５】
ステップＳ２０３は、静止画像を取得する処理である。撮像素子３は、静止画像を取得する。
【００４６】
ステップＳ２０４は、暗黒画像を表示する処理である。表示制御部１１は、スルー画像の表示を終了し、暗黒画像を液晶パネル１５に表示する。
【００４７】
ステップＳ２０５は、スピードアップコマンドを送信する処理である。ＣＰＵ７は、スピードアップコマンドを表示制御部１１に送信する。輝度調整部１８は、スピードアップコマンドを受信すると、バックライト部１６の輝度を急峻に０まで下げる。また、画像処理部６は、ステップＳ２０３で取得した静止画像に基づいて、フリーズ画像を生成する。なお、ＣＰＵ７は、短時間でスルー画像の表示に復帰するため、補正処理を停止するコマンドを表示制御部１１に送信しない。
【００４８】
ステップＳ２０６は、フリーズ画像を表示する処理である。表示制御部１１は、ステップＳ２０５で生成されたフリーズ画像を液晶パネル１５に表示する。
【００４９】
ステップＳ２０７は、スピードダウンコマンドを送信する処理である。ＣＰＵ７は、スピードダウンコマンドを表示制御部１１に送信する。表示制御部１１は、補正処理のスピードを元に戻す。
【００５０】
ステップＳ２０８は、スルー画像を表示する処理である。表示制御部１１は、ステップＳ１０２と同様の処理を行い、一連の処理を終了する。
【００５１】
図５は、図４のフローチャートにおける各部の動作を示すタイミングチャートである。また、バックライト部１６の輝度の例を実線で示す。画像補正部１７によりガンマ補正を施されたスルー画像は、１Ｖｓｙｎｃの間隔で液晶パネル１５に表示される。このとき、レリーズ釦１９が全押しされ、ｔ１１のタイミングで静止画像が取得されると、次のＶｓｙｎｃが出力されるタイミング（ｔ１２）でスルー画像の表示は終了され、暗黒画像が表示される。さらに次のＶｓｙｎｃが出力されるタイミング（ｔ１３）でスピードアップコマンドが送信され、バックライト部１６の輝度が急峻に０まで下げられる。暗黒画像は所定の時間表示され、その後フリーズ画像が表示される（ｔ１４）。次のＶｓｙｎｃが出力されるタイミング（ｔ１５）でバックライト部１６の輝度は、急峻に変更される。また、ｔ１５のタイミングでスピードダウンコマンドが送信される。フリーズ画像は所定の時間表示され、その後スルー画像が表示される（ｔ１６）。
【００５２】
従来の撮像装置における、急峻に輝度を調整しない場合の輝度の例を図５の点線で示す。この場合、バックライト部１６の輝度は、ｔ１５以降、徐々に上がるため、意図しない表示画像の変化が発生し、フリーズ画像の見映えが悪くなる。しかし、本発明の撮像装置１では、急峻に輝度を調整するため、ｔ１５以降、バックライト部１６の輝度は一定となる。そのため、フリーズ画像の見映えが悪くなるおそれがない。
【００５３】
以上説明したように、本発明の撮像装置１は、スルー画像表示状態からメニュー画面表示、又は静止画像再生への切り替え期間中、バックライト部１６の輝度を急峻に変更する。また、本発明の撮像装置１は、スルー画像表示状態からフリーズ画像表示への切り替え期間中、バックライト部１６の輝度を急峻に変更する。
【００５４】
したがって、本発明の撮像装置１によれば、動画やスルー画像に施すバックライト輝度補正などによって、静止画像やメニュー画像の表示が変化することを防ぐことができる。また、切り替え期間を短縮するため、ユーザにストレスを与えない切り替えを実施できる。
【００５５】
なお、図２のフローチャートでは、ステップＳ１０１で、撮像モードを開始する例を示したが、これに限らない。例えば、ステップＳ１０１で再生モードを開始し、静止画像を再生する場合は、ＣＰＵ７は、補正処理の実行コマンドを表示制御部１１に送信しない。また、再生モードから設定モードへ切り替える場合にも、補正処理を停止したままとする。
【００５６】
また、図２のフローチャートでは、ステップＳ１０７で静止画像を再生する例を示したが、動画像を再生する場合は、スルー画像の表示と同様の処理を行う。
【００５７】
また、図２のフローチャートでは、ステップＳ１１０で、撮像年月日及び時刻が最も新しい静止画像を表示する例を示したが、これに限らない。例えば、記録媒体１４に記録された静止画像のうち、ユーザから十字キー２３を介して、再生対象となるいずれかの静止画像の選択を受け付けても良い。
【００５８】
また、上記の実施形態では、スルー画像、動画像、静止画像、メニュー画像、フリーズ画像の例を示したが、表示する画像はこれらに限らない。例えば、連写により取得した画像を再生する場合は、動画像の再生と同様の処理を行う。また、電源がＯＦＦ状態からＯＮ状態になったときのオープニング画面を表示する場合も、動画像の再生と同様の処理を行っても良い。また、複数の画像を順次切り換えながら再生するスライドショー表示を実行する場合は、静止画像の再生と同様の処理を行っても良い。
【００５９】
また、上記の実施形態では、ガンマ値を上げ、バックライト部１６の輝度を下げる処理を補正処理としたが、これに限らない。例えば、表示制御部１１は、コントラスト値を上げ、バックライト部１６の輝度を下げる処理を行っても良い。
【００６０】
また、１Ｖｓｙｎｃ期間、図５の暗黒画像の表示期間、フリーズ画像の表示期間は一例であり、限定されない。
【００６１】
また、上記の実施形態では、撮像装置１を例に挙げて説明したが、これに限らない。例えば、図６に示す構成を有する撮像装置３００にも本発明を同様に適用することができる。撮像装置３００では、ＣＰＵ７が表示制御部１１の機能を有する。その他の構成は、図１の撮像装置１と同じであるため、重複説明を省略する。
【００６２】
また、撮像装置１により取得した静止画像や動画像を再生可能な画像表示装置にも本発明を同様に適用することができる。この場合、画像表示装置は、図１の撮像装置１のＣＰＵ７、操作部９、表示部１０、表示制御部１１、電源部１２、記録Ｉ／Ｆ部１３、記録媒体１４を備える。そして、図２のフローチャートと同様の処理を行うことで、上記の実施形態と同様の効果を得ることができる。
【符号の説明】
【００６３】
１…撮像装置、３…撮像素子、９…操作部、１０…表示部、１１…表示制御部、１４…記録媒体、３００…撮像装置
【図１】
2010288204.tif 000003
【図２】
2010288204.tif 000004
【図３】
2010288204.tif 000005
【図４】
2010288204.tif 000006
【図５】
2010288204.tif 000007
【図６】
2010288204.tif 000008